(57)【要約】【課題】芳香剤等放出容器への液体補充、および容器不使用時における芳香等放出口の密閉が容易に形成した。【解決手段】容器体口頸部４へ嵌合させた保持筒11を、吸上げ芯材抱持筒12上端から該抱持筒より大内径の中径筒13を、該中径筒上端から更に大内径の第１雌ねじ筒14をそれぞれ起立すると共に、該第１雌ねじ筒上端から外向きフランジ15を介して第２雌ねじ筒16を垂下させて該第２雌ねじ筒16を容器体口頸部４外面へ螺合させて形成し、又保持筒11へ、上記第１雌ねじ筒14内面へ螺合させた上面閉塞の第２雄ねじ筒22下端から、中径筒内面へ気密に嵌合するシール筒23を垂下し、第２雄ねじ筒へ付設した外向きフランジ24外周へ摘み筒25を付設した口蓋部材21を着脱自在に嵌合させた。【選択図】  図１
2004210322.tif 000002
【特許請求の範囲】
【請求項１】
容器体胴部２の上端から、肩部３を介して口頸部４を起立し、該口頸部に嵌合させた保持筒11から、容器体内底部まで吸上げ芯材31を垂下させて、該吸上げ芯材を介して吸上げられた容器体内の揮発性液体を、容器体外方へ放出可能に設けた芳香剤等放出容器において、
上記保持筒11を、吸上げ芯材抱持筒12上端から該抱持筒よりも大内径の中径筒13を、該中径筒上端から該中径筒よりも大内径の第１雌ねじ筒14を、それぞれ起立すると共に該第１雌ねじ筒上端から外向きフランジ15を介して第２雌ねじ筒16を垂下させて該第２雌ねじ筒16を容器体口頸部４外面へ螺合させて形成し、
又該保持筒11へ、上記第１雌ねじ筒14内面へ螺合させた上面閉塞の第２雄ねじ筒22下端から、中径筒13内面へ気密に嵌合させてシール筒23を垂下し、第２雄ねじ筒22上部外面へ付設した外向きフランジ24外周へ摘み筒25を付設した口蓋部材21を、着脱自在に嵌合させた
ことを特徴とする芳香剤等放出容器。
【請求項２】
上記容器体胴部２の横断面形状を、前後方向よりも左右方向横巾を大とした長方形状ないし楕円形状等に形成すると共に、
該容器体内へ、胴部左右方向とほぼ等しい横巾で、かつ胴部とほぼ等しい高さとした主板部42上縁の左右方向中間部から、容器体口頸部４内へ遊挿させて係合板部43を起立する遊動薄板41を設け、
上記容器体１と遊動薄板41とをそれぞれ透明ないし半透明とすると共に胴部の前壁2aと後壁2bと遊動薄板41とへそれぞれ第１、第２、第３表示６,44,７を付設した
ことを特徴とする請求項１記載の芳香剤等放出容器。
【請求項３】
上記容器体胴部２の横断面形状を、前後両壁2a,2b の左右方向横巾よりも左右側壁2c,2c の内面間距離が大きい形状にすると共に、
上記遊動薄板主板部42の左右方向横巾を、容器体前後両壁2a,2b の横巾よりも大で、かつ左右側壁2c,2c の内面間距離よりも小とした
ことを特徴とする請求項２記載の芳香剤等放出容器。
【請求項４】
上記遊動薄板41を、保持筒11および吸上げ芯材31の前方へ位置させた
ことを特徴とする請求項２、又は３記載の芳香剤等放出容器。
【発明の詳細な説明】
【０００１】
【発明の属する技術分野】
本発明は芳香剤等放出容器に関する。
【０００２】
【従来の技術】
容器体胴部の上端から、肩部を介して口頸部を起立し、該口頸部に嵌合させた保持筒から容器体内底部まで吸上げ芯を垂下させて該吸上げ芯を介して吸上げられた容器体内の揮発性液体を容器体外方へ放出可能に設けた芳香剤等放出容器が知られている（特許文献１）。
【０００３】
又透明の容器体内へ、絵付きの透明な薄板を遊動可能に挿入させ、その容器体内へ透明液体を充填させた状態で、容器体前壁に付設した絵と上記透明薄板に付設した絵とが立体的な絵を形成するよう設けた容器も知られている（特許文献２）。
【０００４】
【特許文献１】
特開２００１−３１１６０号公報
【特許文献２】
特開２０００−３３５５８０号公報
【０００５】
【発明が解決しようとする課題】
上記芳香剤等放出容器は、一般に室内等へ設置しておくものであるから装飾性に富むことが要望される。
【０００６】
本発明は、上記容器を装飾性に富むものとして、容器体内への液体補充により容器を長期に使用できるよう、又その液体補充が容易であり、更に芳香等の放出を不要とする場合は密閉も容易に行えるよう設けたものである。
【０００７】
【課題を解決するための手段】
第１の手段として容器体胴部２の上端から、肩部３を介して口頸部４を起立し、該口頸部に嵌合させた保持筒11から、容器体内底部まで吸上げ芯材31を垂下させて、該吸上げ芯材を介して吸上げられた容器体内の揮発性液体を、容器体外方へ放出可能に設けた芳香剤等放出容器において、
上記保持筒11を、吸上げ芯材抱持筒12上端から該抱持筒よりも大内径の中径筒13を、該中径筒上端から該中径筒よりも大内径の第１雌ねじ筒14を、それぞれ起立すると共に該第１雌ねじ筒上端から外向きフランジ15を介して第２雌ねじ筒16を垂下させて該第２雌ねじ筒16を容器体口頸部４外面へ螺合させて形成し、
又該保持筒11へ、上記第１雌ねじ筒14内面へ螺合させた上面閉塞の第２雄ねじ筒22下端から、中径筒13内面へ気密に嵌合させてシール筒23を垂下し、第２雄ねじ筒22上部外面へ付設した外向きフランジ24外周へ摘み筒25を付設した口蓋部材21を、着脱自在に嵌合させた。
【０００８】
第２の手段として、上記第１の手段を有すると共に上記容器体胴部２の横断面形状を、前後方向よりも左右方向横巾を大とした長方形状ないし楕円形状等に形成すると共に、
該容器体内へ、胴部左右方向とほぼ等しい横巾で、かつ胴部とほぼ等しい高さとした主板部42上縁の左右方向中間部から、容器体口頸部４内へ遊挿させて係合板部43を起立する遊動薄板41を設け、
上記容器体１と遊動薄板41とをそれぞれ透明ないし半透明とすると共に胴部の前壁2aと後壁2bと遊動薄板41とへそれぞれ第１、第２、第３表示６,44,７を付設した。
【０００９】
第３の手段として、上記第１又は第２の手段を有すると共に上記容器体胴部２の横断面形状を、前後両壁2a,2b の左右方向横巾よりも左右側壁2c,2c の内面間距離が大きい形状にすると共に、
上記遊動薄板主板部42の左右方向横巾を、容器体前後両壁2a,2b の横巾よりも大で、かつ左右側壁2c,2c の内面間距離よりも小とした。
【００１０】
第４の手段として、上記第１、第２又は第３の手段を有すると共に上記遊動薄板41を、保持筒11および吸上げ芯材31の前方へ位置させた。
【００１１】
【発明の実施の形態】
以下図面について説明すると、１は胴部２上端から肩部３を介して口頸部４を起立する透明ないし半透明の容器体である。該容器体の胴部上端には上向き段部５を周設している。胴部はその横断面形状を、前後方向よりも左右方向横巾が大とした長方形状ないし楕円形状等に形成する。図示例では図２が示すように長方形状となし、かつ各角部を面取りして、それぞれ傾斜壁2dで前壁2aと左右側壁2c,2c とを、又後壁2bと左右側壁2c,2c とを連続させている。よって前後両壁2a,2b の左右横巾よりも左右側壁2c,2c 間の距離を大としている。
【００１２】
その前壁2aおよび後壁2bには、それぞれ第１、第３表示６，７を付設している。これ等表示とは、後述の第２表示も含めて絵、文字、模様を含むものとする。これ等表示は、少くとも容器体前方からみてそれ等の各表示がそれぞれ見えるよう設けるものとする。又各表示、少くとも前壁に付設する第１表示は前壁に充分な透明ないし半透明部分を残した状態で設けることが好ましく、この透明ないし半透明部分に後述する遊動薄板の第２表示および後壁の第３表示７が位置するよう設けるとよい。
【００１３】
上記容器体口頸部４へは、保持筒11を螺合させている。該保持筒は、吸上げ芯抱持筒12上端から該抱持筒よりも大内径の中径筒13を、該中径筒上端から該中径筒よりも大内径の第１雌ねじ筒14を、それぞれ起立すると共に該第１雌ねじ筒上端から外向きフランジ15を介して第２雌ねじ筒16を垂下させ、該第２雌ねじ筒16を第１雄ねじ筒としての容器体口頸部４の外面へ螺合させている。図示例にあっては上記螺合時に容器体口頸部内面へ水密に嵌合するシール筒を外向きフランジ15から垂下させている。
【００１４】
上記保持筒11へは、口蓋部材21を螺合させている。該口蓋部材は、上記第１雌ねじ筒14へ螺合させた上面閉塞の第２雄ねじ筒22下端から、中径筒の下半部内面へ気密に嵌合させてシール筒23を連続させて垂下し、又第２雄ねじ筒22の上部外面へ外向きフランジ24を付設し、該外向きフランジ外面へ摘み筒25を付設し、該摘み筒により口蓋部材21を保持筒に対して螺合させ、又螺脱可能としている。
【００１５】
31は容器体内液体を吸上げする吸上げ芯材で、上部を上記抱持筒12により摺動自在に抱持させて上端部を第２雄ねじ筒22およびシール筒23内へ位置させ、容器体内底部まで下端を垂下させている。
【００１６】
41は主板部42上端の左右方向中間部から係合板部43を起立する透明ないし半透明の遊動薄板で、主板部42は、容器体前後両壁2a,2b の左右方向横巾よりも大で、かつ容器体左右両側壁2c,2c 間の距離よりも短かい横巾であり、又容器体胴部２の高さとほぼ等しい高さであり、又係合板部43の上部は容器体口頸部４の下部内へ遊挿可能としている。
【００１７】
該遊動薄板は、その一部に第２表示44を有する。該第２表示は、既述前壁および後壁に画いた第１表示６、第３表示７とが共に描く立体的絵等の中心となるものであり、遊動薄板は遊動するから動物の絵であることが好ましい。
【００１８】
該遊動薄板41は、弾性薄板で形成し、既述保持筒11螺合に先だって主板部42を丸め、容器体口頸部内を通して容器体内へ挿入させておき、該遊動薄板41後方へ抱持筒12を位置させて保持筒11を容器体口頸部へ嵌合させる。
【００１９】
51は、必要により設けるマット支持台で、周壁52下端を容器体胴部上方の上向き段部５上面へ載置させて胴部の上端部外面へ嵌合させ、該周壁の上部内面に付設した内向きフランジ53内周から垂下させた筒部54を保持筒第２雌ねじ筒16の外面へ遊嵌させている。該内向きフランジ53と該内向きフランジ上方の周壁上方部分52a とがマット61収納部を形成し、該マットは吸上げ芯材31上端面と下面を接して吸上げ芯材が吸上げした液体を更に吸込み、該マットから揮発して容器外方へ芳香等を放出する。
【００２０】
尚該マットを使用する際は、口蓋部材21を外しておく。
【００２１】
71は、カバー部材であり、頂板72外周から垂下する周壁73を、上記マット支持台51の周壁73上部外面へ着脱自在に嵌合させている。該カバー部材の頂板および周壁73には芳香等放出用の窓孔74を穿設している。このような窓孔は既述マット支持台にも穿設することが望ましい。尚本発明において芳香等とは、消臭剤その他を含むものとする。
【００２２】
既述各構成部材は、それぞれ合成樹脂材で形成している。
【００２３】
【発明の効果】
本発明は既述構成とするもので、請求項１記載のようにすることで、不使用時における芳香等の放出を口蓋部材21嵌合で停止させることが出来、又口蓋部材21および吸上げ芯材31を付設したまま保持筒11を容器体口頸部から外すことで、容器体内への芳香等放出液体の補充が容易となる。従って揮発性液体を入れ換えるだけで容器自体は長期に使用し続けることができ、容器に優れた装飾を施すことで、単なる消耗品を長期使用の装飾体に変えることが出来る。
【００２４】
請求項２のようにすることで、室内の台上等へ載置させたままとしておく芳香剤等放出容器を容器体前壁と遊動薄板と容器体後壁にそれぞれ描いた三面の表示を、中間の第２表示は遊動可能に前後方向へ間隙をおいて位置させるから、それ等三面の表示は透視時立体的に表現されることとなり、又遊動薄板は係合板部43を容器体口頸部４内へ遊挿させているから、従来例のように該遊動薄板は容器体内で遊動するに拘らず、容器体前壁の内面へ密着してそれ等前壁の第１表示６と遊動薄板の第２表示44との間隙がなくなり、そのためそれ等第１表示と第２表示とが同じ垂直な面へ描出された表示のようになって立体感を失うことがなく、常に各表示に間隙をおいて遊動することとなり、絵等表示の立体感を高めることが出来る。
【００２５】
請求項３のようにすることで、遊動薄板41の主板部42も容器体前壁2a内面へ接することを防止でき、上記容器前方からの透視による表示の立体感を高めることが出来る。
【００２６】
請求項４のようにすることで、上記立体表示に対する保持筒11および吸上げ芯材31の違和感を弱めることが出来、従ってそれ等保持筒および吸上げ芯材を上記立体表示の一部として立体表示中の樹木の等の第４の絵等として利用することも容易となる。
【図面の簡単な説明】
【図１】本発明容器の断面図である。
【図２】図１Ａ−Ａ線を矢示方向へみた断面図である。
【図３】図３は容器内へ挿入させる遊動薄板の正面図である。
【符号の説明】
１…容器体              ２…胴部
2a…前壁                2b…後壁
４…口頸部              ６…第１表示
７…第３表示            11…保持筒
12…抱持筒              13…中径筒
14…第１雌ねじ筒        16…第２雌ねじ筒
21…口蓋部材            22…第２雄ねじ筒
25…摘み筒              31…吸上げ芯材
41…遊動薄板            44…第２絵
51…マット支持台        61…マット
71…カバー部材
【図１】
2004210322.tif 000003
【図２】
2004210322.tif 000004
【図３】
2004210322.tif 000005